(57)【要約】【目的】  成形時のアンダーカットを防止すると共に、成形品の変形及び強度の低下を防止することができる樹脂成形品の真空成形方法を実現する。【構成】  分解可能な成形型の平面部に、樹脂平板を、その文字や図形が印刷された印刷部１６を含む平面状部１２が成形型に接するように載置する載置工程と、成形型に載置された樹脂平板を加熱手段により加熱する加熱工程と、加熱した樹脂平板の外縁部近傍を吸引手段により吸引し成形型の外形に沿うように曲面状に形成する吸引工程と、吸引工程の終了後、樹脂を冷却手段により冷却する冷却工程と、冷却工程の終了後成形型を分解し、出来上がった樹脂成形品１０を離型する離型工程とを有する構成とした。【選択図】      図１
2005280120.tif 000002
【特許請求の範囲】
【請求項１】
分解可能な成形型に樹脂平板を載置する載置工程と、
前記成形型に載置された前記樹脂平板を加熱手段により加熱する加熱工程と、
加熱した前記樹脂平板を前記成形型内部から吸引手段により吸引し前記成形型の外形に沿うように成形する吸引工程と、
前記吸引工程の終了後、前記樹脂平板を冷却手段により冷却する冷却工程と、
前記冷却工程の終了後、前記成形型を分解し成形後の前記樹脂平板を離型する離型工程と、
を有することを特徴とする樹脂成形品の真空成形方法。
【請求項２】
前記載置工程に先立って前記樹脂平板の裏面に文字または図形の印刷を行う印刷工程を有し、
前記載置工程ではこの印刷工程で印刷が行われた前記樹脂平板の裏面側が前記成形型に接するように載置することを特徴とする請求項１に記載の樹脂成形品の真空成形方法。
【請求項３】
樹脂平板を所定の形状に成形するための構造を有する分解可能な雄型の成形型と、
前記樹脂平板を加熱する加熱手段と、
前記成形型内部より前記樹脂平板と前記成形型との間の空気を吸引する吸引手段と、
前記吸引手段による吸引終了後、前記樹脂平板を冷却する冷却手段と、
を有することを特徴とする樹脂成形品の真空成形装置。
【請求項４】
分解可能な成形型に樹脂平板を載置する載置工程と、
前記成形型に載置された前記樹脂平板を加熱手段により加熱する加熱工程と、
加熱した前記樹脂平板を前記成形型内部から吸引手段により吸引し前記成形型の外形に沿うように成形する吸引工程と、
前記吸引工程の終了後、前記樹脂平板を冷却手段により冷却する冷却工程と、
前記冷却工程の終了後、前記成形型を分解し成形後の前記樹脂平板を離型する離型工程と、
を経て成形されることを特徴とする樹脂成形品。
【請求項５】
前記載置工程に先立って前記樹脂平板の裏面に文字または図形の印刷を行う印刷工程をさらに経て成形されることを特徴とする請求項４に記載の樹脂成形品。
【発明の詳細な説明】
【技術分野】
【０００１】
本発明は、樹脂成形品の真空成形方法、この方法を実現する真空成形装置およびこの成形方法で成形加工された樹脂成形品に関する。
【背景技術】
【０００２】
図５に斜視図を示したような、いわゆる突き出し型の電飾看板の中空樹脂パネルを成形するために、従来は断面凹部状のいわゆる雌型を用いる方法が採られていた。すなわち、雌型の上に加熱した樹脂平板を置いて雌型内部から空気を吸引し、過熱されて軟化した樹脂平板が雌型に沿って成形された後、冷却し、雌型から成形された樹脂平板を離型して、文字等が印刷される平面状部と平面状部の外側に位置する曲面状部とを有する看板を成形していた。
【０００３】
また、類似の樹脂成形方法としては、例えば、上下の成形型と、加熱機構と、圧空チャンバと、冷却機構を備えた成形装置を用いてプラスチックシートから小型スピーカの振動版を成形する方法などが報告されている（特許文献1参照。）。
【０００４】
しかし、雌型を用いて電飾看板の中空樹脂パネルを成形しようとした場合、その製法上、電飾看板の文字や図形が印刷される平面状部の肉厚が薄くなり、この部分の強度が低下するという問題があった。さらに雌型や上下の成形型を用いた場合、この電飾看板の平面状部に変形が生じやすく、成形品を実際に看板として使用すると、平面状部の内部に印刷されている宣伝部分（例えば、文字や図形などで装飾した部分）が歪んで見栄えが悪くなるという問題があった。また、パネルの周囲にパネルを保持するための金属枠等があると、それが挟雑物になって看板の広告面がすっきりせず見栄えが悪くなるという問題があった。これを避けるために、パネルの曲面状部を枠から張り出させるようにすると、成形工程中において看板の曲面状部の一部がアンダーカットになるという問題があった。
【特許文献１】特開２００３−５３８２９号公報
【発明の開示】
【発明が解決しようとする課題】
【０００５】
上記した従来の成形方法では、その製法上、成形品の平面状部の肉厚が薄くなり、この部分の強度が低下するという問題があった。また、成形品の平面状部に変形が生じてしまい、実際に成形品を電飾看板の中空樹脂パネルなどに使用すると、平面状部の内部に印刷されている宣伝部分（例えば、文字や図形などを装飾した部分）の見栄えが悪くなるという問題があった。さらに、パネル周囲に金属枠等があると広告面の見栄えが悪くなるため、これを避けてパネルの曲面状部を張り出させると成形時において成形品の曲面状部の一部がアンダーカットになるという問題があった。
【０００６】
そこで、本発明は、上記事情を考慮し、成形工程中のアンダーカットを防止すると共に、平面部の変形や強度の低下を防止することができ、電飾看板などに用いる場合には広告面の見栄えを良くすることができる樹脂成形品の真空成形方法、真空成形装置および樹脂成形品を提供することを目的とする。
【課題を解決するための手段】
【０００７】
本発明は、上記目的を達成するため、樹脂成形品の真空成形方法において、分解可能な成形型に樹脂平板を載置する載置工程と、前記成形型に載置された前記樹脂平板を加熱手段により加熱する加熱工程と、加熱した前記樹脂平板を前記成形型内部から吸引手段により吸引し前記成形型の外形に沿うように成形する吸引工程と、前記吸引工程の終了後、前記樹脂平板を冷却手段により冷却する冷却工程と、前記冷却工程の終了後、前記成形型を分解し成形後の前記樹脂平板を離型する離型工程とを有することを特徴とする真空成形方法を提案するものである。
【０００８】
本発明は、また、上記目的を達成するため、上記の樹脂成形品の真空成形方法において、前記載置工程に先立って前記樹脂平板の裏面に文字または図形の印刷を行う印刷工程を有し、前記載置工程では、この印刷工程で印刷が行われた前記樹脂平板の裏面側が前記成形型に接するように載置することを特徴とする。
【０００９】
本発明は、また、上記目的を達成するため、樹脂成形品の真空成形装置において、樹脂平板を所定の形状に成形するための構造を有する分解可能な雄型の成形型と、前記樹脂平板を加熱する加熱手段と、前記成形型内部より前記樹脂平板と前記成形型との間の空気を吸引する吸引手段と、前記吸引手段による吸引終了後、前記樹脂平板を冷却する冷却手段とを有することを特徴とする樹脂成形品の真空成形装置を提案する。
【００１０】
本発明は、また、上記目的を達成するため、樹脂成形品において、樹脂平板を所定の形状に成形するための構造を有する分解可能な成形型に樹脂平板を載置する載置工程と、前記成形型に載置された前記樹脂平板を加熱手段により加熱する加熱工程と、加熱した前記樹脂平板を前記成形型内部から吸引手段により吸引し前記成形型の外形に沿うように成形する吸引工程と、前記吸引工程の終了後、前記樹脂平板を冷却手段により冷却する冷却工程と、前記冷却工程の終了後、前記成形型を分解し成形後の前記樹脂平板を離型する離型工程とを経て成形されることを特徴とする樹脂成形品を提案する。
【００１１】
本発明は、また、上記目的を達成するため、上記樹脂成形品において、前記載置工程に先立って前記樹脂平板の裏面に文字または図形の印刷を行う印刷工程をさらに経て成形されることを特徴とする。
【００１２】
本発明の請求項１によれば、載置工程において成形型の平面部に平板状の樹脂が載置される。加熱工程において成形型に載置された樹脂が加熱手段により加熱される。吸引工程において、加熱された樹脂の外縁部近傍が吸引手段により吸引され、その外縁部近傍が成形型の外形に沿うような曲面状に形成される。吸引工程の終了後、冷却工程において樹脂が冷却手段により冷却される。冷却工程の終了後、離型工程において成形型が分解される。これにより、平面状部と曲面状部とを有する電飾看板の中空樹脂パネルなどの成形品を成形することができる。このように、本発明の樹脂成形品の真空成形方法は、看板の平面状部に変形などを殆どもたらさないため、平面状部の肉厚を一定に保ち強度を確保することができるとともに、この平板状部に文字、図形などを印刷していた場合にもその文字や図形が曲がるようなことがない。さらに、成形型を分解して取り除くため、看板の曲面状部がアンダーカットになることがない。
【００１３】
本発明の請求項２によれば、請求項１で将来中空樹脂パネルの平面状部の内面になる部分に予め広告文字や図形などを印刷することで容易に広告表示内容を作製しておくことができる。この印刷は中空樹脂パネルの成形中に変形することがないので、歪んで見栄えが悪くなるようなことはない。
【００１４】
本発明の請求項３によれば、樹脂平板を所定の形状に成形するための構造を有する分解可能な雄型の成形型と、前記成形型を介して前記樹脂平板を加熱する加熱手段と、前記成形型内部より前記樹脂平板と前記成形型との間の空気を吸引する吸引手段と、前記吸引手段による吸引終了後、前記樹脂平板を冷却する冷却手段と、を有する樹脂成形品の真空成形装置を提供する。これにより、平面状部の肉厚を一定に保ち強度を確保することができ、平板状部に文字、図形などを印刷していた場合にもその文字や図形が曲がるようなことがなく、さらに、看板の曲面状部がアンダーカットになることがない真空成形装置を実現することができる。
【００１５】
本発明の請求項４によれば、上記の工程によって成形された平面状部と曲面状部とを有する樹脂成形品が提供される。このような本発明の成形品は、たとえば文字や図形等が印刷される電飾看板の中空樹脂パネルなどに用いた場合、その平面状部の肉厚を一定に保ち強度を確保することができ、平板状部に印刷された文字や図形などが成形中に変形するようなことがなく、また、製造に際して樹脂成形品の曲面状部がアンダーカットになることがない。
【００１６】
本発明の請求項５によれば、成形の工程に先立って、樹脂成形品の平面状部に予め文字や図形などを印刷するので、容易に広告表示内容を作製しておくことができ、その印刷部分が変形することがないので、見栄えの良い広告表示を示す電飾看板の中空樹脂パネルなどの樹脂成形品を提供することができる。
【発明の効果】
【００１７】
請求項１に記載の発明は、樹脂成形品の真空成形方法において、平面状部に変形などが殆ど行われないため、この平面状部の肉厚を一定に保ち強度を確保することができるとともに、平板状部に文字や図形などを印刷していた場合にもその文字や図形が曲がることがない。さらに、成形型を分解して取り除くため、樹脂成形品の曲面状部がアンダーカットになることがない。
【００１８】
また、請求項２に記載の発明は、請求項１の樹脂成形品の真空成形方法で、予め広告文字や図形などを印刷しても変形することがないので、広告表示を見栄えよく容易に作製することができる。
【００１９】
また、請求項３に記載の発明は、請求項１で述べた工程を実現する真空成形装置を提供することができ、成形品の平面状部の肉厚を一定に保ち強度を確保できるとともに、平板状部に文字や図形などを印刷していた場合にもその文字や図形が曲がることがなく、成形品の曲面状部がアンダーカットになることがない。
【００２０】
また、請求項４に記載の発明によれば、上記の工程によって成形された平面状部と曲面状部とを有する成形品が提供される。このようにして得られる本発明の成形品は、たとえば文字や図形等が印刷される電飾看板の中空樹脂パネルなどに用いた場合、その平面状部の肉厚を一定に保ち強度を確保することができ、平板状部に文字や図形などを印刷していた場合にもその文字や図形が曲がることがなく、製造に際して看板の曲面状部がアンダーカットになることがない。
また、請求項５に記載の発明によれば、請求項４の成形品に予め広告文字や図形などを印刷して、広告表示を見栄えよく容易に作製することができる。
【発明を実施するための最良の形態】
【００２１】
次に、本発明の一実施形態に係る樹脂成形品の真空成形方法について、図面を参照して説明する。
【００２２】
先ず、本発明の樹脂成形品の真空成形方法の対象となる成形品の例として、電飾看板の中空樹脂パネルについて説明する。
【００２３】
図１は、本発明の実施の形態に係る真空成形方法により成形される電飾看板の中空樹脂パネルの正面図であり、図２は、その側面図であり、図３は図１のＡ−Ａ線断面図である。
【００２４】
図１乃至図３に示すように、この対象となる電飾看板の中空樹脂パネル１０は、平面状部１２と、この平面状部１２の外縁近傍を構成し曲面状に形成された曲面状部１４と、を有している。この中空樹脂パネル１０は透明な樹脂、例えば、アクリル樹脂等で構成されており、平面状部１２の一方の側面（内側、図３中矢印Ｘ方向側）には印刷された印刷部（例えば、文字や図形など）１６が印刷されており、平面状部１２の他方の側面（外側、図３中矢印Ｙ方向側）から印刷部１６の文字や図形が視認できるようになっている。
【００２５】
次に、本発明の電飾看板の中空樹脂パネルの真空成形方法で用いる成形型について説明する。
【００２６】
図４に示すように、本発明の真空成形方法に用いる成形型は、中空樹脂パネル１０の平面状部１２が載置される中央成形型２０を備えている。
【００２７】
さらに、中央成形型２０の周囲には、中空樹脂パネル１０の曲面状部１４を形成するための周辺成形型すなわち４個のコーナ成形型３０−１〜３０−４と２個の縦辺成形型３１−１および３１−２と２個の横辺成形型３２−１および３２−２がそれぞれ配置されている。これらの周辺成形型の側面は図２に示す中空樹脂パネル１０の曲面状部１４を形成することができるように滑らかな曲面状となっている。また、これらの周辺成形型の側面には、吸引孔（図示省略）がそれぞれ形成されている。
【００２８】
中央成形型２０の下方の側面には、縦辺成形型３１−１、３１−２と横辺成形型３２−１、３２−２を収納することができる開口が設けられている。成形が終了し成形型を分解して成形後の樹脂平板すなわち中空樹脂パネル１０を離型する際に、縦辺成形型３１−１、３１−２と横辺成形型３２−１、３２−２は内側の中央成形型２０の方向にスライドされ、中央成形型２０の開口内に収納される。一方、コーナ成形型３０−１〜３０−４は中空樹脂パネル１０の離型時に、内側の中央成形型２０の上方に移動する。
【００２９】
次に、本発明の樹脂平板から中空樹脂パネル１０を形成する真空成形方法を一実施の形態に沿って説明する。
【００３０】
先ず、平板状に形成された樹脂の一方の側面の印刷部１６（図１参照）に宣伝広告用の文字や図形などを印刷する。次に、印刷部１６が印刷された樹脂平板を、その印刷部１６が中央成形型２０側を向くように中央成形型２０の平板部２２に載置する（載置工程）。
【００３１】
次に、中央成形型２０の周囲に周辺成形型をそれぞれ位置させる。このとき、これらの周辺成形型の周囲は樹脂平板の各辺の端部よりも内側に位置している。
【００３２】
樹脂平板を中央成形型２０に載置した後、別途用意された加熱装置（図示省略）により樹脂を加熱する（加熱工程）。この加熱は成形型を介して行っても良いし、樹脂平板の上方から行っても良い。この加熱により樹脂が軟化する。略同時に、軟化した樹脂を別途用意した吸引装置（図示省略）で吸引する（吸引工程）。この吸引工程では、樹脂の中央部が中央成形型２０の吸引孔からの空気吸引により中央成形型２０に押し付けられると共に、樹脂平板の外縁部近傍が周辺成形型の吸引孔（図示省略）からの空気吸引により周辺成形型に押し付けられる（吸引工程）。このとき外縁部近傍は周辺成形型の側面に沿って滑らかな曲面状に形成される。このようにすることで、中空樹脂パネル１０となる樹脂平板には、中央部である平面状部１２と、平面状部１２の外縁部近傍である曲面状部１４と、がそれぞれ形成される。この成形方法によると、平面状部１２自体を大きく変形させることはないので、平面状部１２の肉厚を一定の厚みに保つことができ、平面状部１２の強度を確保するとともに、印刷部１６の文字や図形の変形を抑えることができる。
【００３３】
この吸引工程の終了後、樹脂平板全体を別途用意した冷却装置（図示省略）で冷却する（冷却工程）。これにより、樹脂が硬化する。さらに、この冷却工程の終了後、周辺成形型のうち縦辺成形型３１−１、３１−２と横辺成形型３２−１、３２−２は中央成形型２０の方向にスライドされて中央成形型２０の開口内に収納され、コーナ成形型３０−１〜３０−４は内側上方に移動し、これによって成形型が分解され、中空樹脂パネル１０が整形型から離型する（離型工程）。このように成形型を分解して小さくした後、硬化した樹脂の内部から成形型を取り出すようにしているので、中空樹脂パネル１０の曲面状部１４がアンダーカットとなることがない。
【００３４】
以上のように、本発明の樹脂成形品の真空成形方法によって電飾看板中空樹脂パネル１０を成形すると、文字等が印刷されている看板１０の平面状部１２の肉厚を一定に保つことができ、強度を確保することができるとともに成形時に平面状部１２が変形することがない。従って、平面状部１２に文字や図形などを印刷していた場合にもその文字や図形が曲がることがない。さらに、成形型を分解して取り除くため、中空樹脂パネル１０の曲面状部１４がアンダーカットになることがない。
【００３５】
以上本発明の真空成形方法を一実施の形態に沿って説明したが、この真空成形方法を実現する雄型の成形型と、加熱手段と、吸引手段と、冷却手段とを有する真空成形装置およびこの方法によって実現される樹脂成形品も本発明の対象とするものである。
【産業上の利用可能性】
【００３６】
以上本発明によると、電飾看板の中空樹脂パネルなどの樹脂成形品を、その広告の印刷面を歪みなく、かつ強度的にも十分に仕上げることができるので、商店、コンビニなどの張り出し看板などの製造に適している。また、この方法で作製した中空樹脂パネルを用いると正面、裏面からはその支持金具や留め金などが見えない構成にすることができるので、看板の広告面を連続させて広い表示を可能にするなど、従来にない効果を示すことができる。したがって、産業上の広い分野での多用途の電飾表示などに用いることができる。
【図面の簡単な説明】
【００３７】
【図１】本発明の実施の形態に係る看板の真空成形方法により成形される電飾看板の中空樹脂パネルの正面図である。
【図２】本発明の実施の形態に係る看板の真空成形方法により成形される電飾看板の中空樹脂パネルの側面図である。
【図３】図１のＡ−Ａ間の断面図である。
【図４】本発明の実施の形態に係る電飾看板の中空樹脂パネルの真空成形方法に用いる成形型の概略構成図である。
【図５】突き出し型の電飾看板の斜視図である。
【符号の説明】
【００３８】
１０      中空樹脂パネル
１２      平面状部
１４      曲面状部
１６      印刷部
２０      中央成形型
２２      平板部
３０      コーナ成形型
３１      縦辺成形型
３２      横辺成形型
【図１】
2005280120.tif 000003
【図２】
2005280120.tif 000004
【図３】
2005280120.tif 000005
【図４】
2005280120.tif 000006
【図５】
2005280120.tif 000007